(57)【特許請求の範囲】
【請求項１】
マスク本体部を装着するときに使用する締め紐を、前記マスク本体部に取り付ける締め紐取付具において、
前記締め紐を挿通する挿通孔が設けられた本体部と、
該本体部の上端部に設けられ、前記締め紐の端部を係止する上側係止部と、
前記本体部の下端部に設けられ、前記締め紐の端部を係止する下側係止部とを備え、
前記上側係止部および前記下側係止部は、
係止板と、
該係止板の前側端から前記係止板の後ろ側へ向かって設けられ、挿入される前記締め紐を係止する前側係止溝と、
前記係止板の後ろ側端から前記係止板の前側へ向かって設けられ、挿入される前記締め紐を係止する後ろ側係止溝とを備え、
前記前側係止溝の前側端部に円弧状の前側ガイド部が設けられ、
前記後ろ側係止溝の後ろ側端部に、前記前側ガイド部の半径よりも大きい半径の円弧状の後ろ側ガイド部が設けられている、
ことを特徴とする締め紐取付具。
【請求項２】
請求項１に記載の締め紐取付具において、
前記前側係止溝と前記後ろ側係止溝との間の前記係止板の外側面に、前記締め紐と交差するリブが設けられている、
ことを特徴とする締め紐取付具。
【請求項３】
マスク本体部の左側端部と、前記マスク本体部の右側端部とに請求項１または請求項２に記載の締め紐取付具が一体的に取り付けられている、
ことを特徴とするマスク。
【発明の詳細な説明】
【技術分野】
【０００１】
この発明は、塵埃の多い場所、例えば、工事現場などで作業中に、塵埃を吸い込むのを防止するマスク、および、このマスクの締め紐を、マスク本体部に取り付けるための締め紐取付具に関するものである。
【背景技術】
【０００２】
上記した従来のマスクの一例として、図１３に示すように、締め紐５６を挿入するための複数のスリット５４と、このスリット５４の端部に連通し、締め紐５６を係止するための複数の小孔５５とを備えた小片５３を、マスク本体部５２の左、右側端部にそれぞれ取り付けたマスク５１が提案されている（例えば、特許文献１参照）。
【０００３】
このマスク５１は、各スリット５４から各小孔５５へ締め紐５６の一部分を挿入して係止させるのを順次行うことにより、締め紐５６の取付が簡単にでき、また、逆の操作を順次行うことにより、締め紐５６の取り外しが簡単にできる。
したがって、締め紐５６の長さ調整などが簡単にできる。
【０００４】
また、従来のマスクの他の例として、図１４に示すように、締め紐通し孔６５，６６に掛け回した締め紐６８で屈曲片６７を屈曲させて平面部６４へ押し付けるとともに、締め紐６８が外れないように締め紐６８の端部６８ａを締め紐６８で平面部６４へ押し付けて締め紐６８を取り付ける構造を有するものが提案されている（例えば、特許文献２参照）。
【０００５】
このマスクは、締め紐６８の固定に特別な作業や付属部品を必要とせず、締め紐６８の固定がワンタッチでできる。
【０００６】
また、従来のマスクのさらに他の例として、図１５に示すように、締め紐７７Ｕ，７７Ｄの端部を係止するための２つのスリット７５，７６を有した締め紐係止部７４Ｕ，７４Ｄを上下に有する取付部材７３を、マスク本体部７２の左、右側端部にそれぞれ取り付けたマスク７１が提案されている（例えば、特許文献３参照）。
【０００７】
このマスク７１は、２つのスリット７５，７６に締め紐７７Ｕ，７７Ｄの端部を掛け回す簡単な操作により、締め紐７７Ｕ，７７Ｄの取付部材７３への取付が強固にできる。
【０００８】
また、従来のマスクのなおさらに他の例として、図１６に示すように、マスク本体部８２の左右端部に上下方向へ貫通する貫通孔８３をそれぞれ設け、この貫通孔８３に１本の締め紐８４を挿通するとともに、締め紐８４の両端を長さ調整具８５に係止させたマスク８１が提案されている（例えば、特許文献４参照）。
【０００９】
このマスク８１は、１本紐オーバーヘッドタイプとして使用できる。
そして、締め紐８４の長さ調整が、長さ調整具８５の部分で簡単にできる。
【先行技術文献】
【特許文献】
【００１０】
【特許文献１】実開昭５７−１２６２５８号公報
【特許文献２】実開平４−２５７６０号公報
【特許文献３】実公平７−２５９６８号公報
【特許文献４】特開２００５−２１８号公報
【発明の概要】
【発明が解決しようとする課題】
【００１１】
上記した特許文献１に記載されているマスク５１は、締め紐５６を左右の耳の上下を経由させてフックなどで止めるサイドフックタイプとした場合、締め紐取付具（小片５３）が小さいため、締め紐５６が耳を挟むように作用するので、長時間装着（着用）していると、耳が痛くなる不都合がある。
また、マスク５１は、１本紐オーバーヘッドタイプとして使用できるものの、小片５３の部分で締め紐５６が固定されるので、２本紐オーバーヘッドタイプとして使用できない。
【００１２】
上記した特許文献２に記載されているマスクは、締め紐６８を調整する度に屈曲片６７を屈曲させるので、屈曲片６７が千切れ落ちる可能性がある。
また、締め紐通し孔６５，６６に締め紐６８を１本しか通すことができず、サイドフックタイプまたは２本紐オーバーヘッドタイプに対応させる場合、締め紐取付具を４つ取り付ける必要がある。
そして、特許文献２に記載されているマスクは、締め紐取付具の部分で締め紐６８が固定されるので、１本紐オーバーヘッドタイプとして使用できない。
【００１３】
上記した特許文献３に記載されているマスク７１は、２本紐オーバーヘッドタイプおよびサイドフックタイプとして使用できるものの、締め紐係止部７４Ｕ，７４Ｄの部分で締め紐が固定されるので、１本紐オーバーヘッドタイプとして使用できない。
【００１４】
上記した特許文献４に記載されているマスク８１は、１本紐オーバーヘッドタイプとして使用できる。
また、２本の締め紐を左右の貫通孔８３に別々に挿通してそれぞれ環状とすることにより、サイドフックタイプとして使用できる。
しかし、締め紐の端部を係止できないので、２本紐オーバーヘッドタイプとして使用できない。
【００１５】
この発明は、上記した不都合を解消するためになされたもので、取付位置を変更せずに１本紐オーバーヘッドタイプ、２本紐オーバーヘッドタイプ、サイドフックタイプのマスクとして使用できる締め紐取付具、および、その締め紐取付具を利用したマスクを提供するものである。
【課題を解決するための手段】
【００１６】
この発明は、マスク本体部を装着するときに使用する締め紐を、前記マスク本体部に取り付ける締め紐取付具において、前記締め紐を挿通する挿通孔が設けられた本体部と、該本体部の上端部に設けられ、前記締め紐の端部を係止する上側係止部と、前記本体部の下端部に設けられ、前記締め紐の端部を係止する下側係止部とを備え、前記上側係止部および前記下側係止部は、係止板と、該係止板の前側端から前記係止板の後ろ側へ向かって設けられ、挿入される前記締め紐を係止する前側係止溝と、前記係止板の後ろ側端から前記係止板の前側へ向かって設けられ、挿入される前記締め紐を係止する後ろ側係止溝とを備え、前記前側係止溝の前側端部に円弧状の前側ガイド部が設けられ、前記後ろ側係止溝の後ろ側端部に、前記前側ガイド部の半径よりも大きい半径の円弧状の後ろ側ガイド部が設けられていることを特徴とする。
【発明の効果】
【００１８】
この発明によれば、挿通孔を利用して１本の締め紐を取り付けることができるとともに、上側係止部および下側係止部を利用して２本の締め紐を取り付けることができるので、締め紐取付具の取付位置を変更せずに１本紐オーバーヘッドタイプ、２本紐オーバーヘッドタイプ、サイドフックタイプのマスクとして使用できる。
【図面の簡単な説明】
【００１９】
【図１】この発明の締め紐取付具の一実施例を外側（表側）から見た斜視図である。
【図２】図１に示した締め紐取付具を内側（裏側）から見た斜視図である。
【図３】図１および図２に示した締め紐取付具を示す図で、（ａ）は平面図、（ｂ）は正面図、（ｃ）は背面図（裏面図、底面図）である。
【図４】（ａ）は図３（ａ）の４ａ−４ａ線による断面図、（ｂ）は締め紐取付具の左側面図、（ｃ）は図３（ａ）の４ｃ−４ｃ線による断面図、（ｄ）は図３（ａ）の４ｄ−４ｄ線による断面図、（ｅ）は図４（ｄ）の部分Ｅの拡大断面図である。
【図５】この発明のマスクの一実施例を示す図で、（ａ）は正面図、（ｂ）は締め紐の一部を省略した左側面図である。
【図６】図５に示したマスクの使用例を示す説明図である。
【図７】この発明のマスクの他の実施例を示す図で、（ａ）は正面図、（ｂ）は締め紐の一部を省略した左側面図である。
【図８】図７に示したマスクの使用例を示す説明図である。
【図９】図８の右側締め紐取付具の部分を拡大した部分拡大図である。
【図１０】上側係止部における係止突起部分の説明図である。
【図１１】この発明のマスクのさらに他の実施例を示す図で、（ａ）は正面図、（ｂ）は締め紐の一部を省略した左側面図である。
【図１２】図１１に示したマスクの使用例を示す説明図である。
【図１３】従来のマスクの一例を示す部分斜視図である。
【図１４】従来のマスクの他の例に使用されている締め紐取付具の例を示す図で、（ａ）は部分斜視図、（ｂ）は図１４（ａ）のｂ−ｂ線による使用状態における断面図である。
【図１５】従来のマスクのさらに他の例を示す斜視図である。
【図１６】従来のマスクのなおさらに他の例を示す斜視図である。
【発明を実施するための形態】
【００２０】
以下、この発明の実施例を、図面を参照して説明する。
なお、以下の説明における上下、左右、前後、内外は、マスクの装着者から見た上下、左右、前後、内外とする。
【００２１】
まず、この発明の締め紐取付具の一実施例について説明する。
【００２２】
締め紐取付具２１は、マスク本体部を装着するときに使用する締め紐を、マスク本体部に取り付けるためのもので、図１に示すように、本体部２２と、この本体部２２の上端（一端）に設けられた上側係止部（第１の係止部）２４Ｕと、本体部２２の下端（他端）に設けられた下側係止部（第２の係止部）２４Ｄとを備えている。
この締め紐取付具２１は、マスク本体部の外側表面に超音波溶着や、接着などによって取り付けることができるように、所定の強度を有するプラスチック（樹脂）、例えば、ポリプロピレンで、本体部２２、上側係止部２４Ｕおよび下側係止部２４Ｄが一体成形されている。
なお、締め紐取付具２１は、マスク本体部の右側端部に取り付けられる。
【００２３】
上記した本体部２２は、前側（図１の右側）に凹状で、後ろ側（図１の左側）に凸状をした円弧状の前面および後ろ面を有する湾曲して扁平な四角柱状とされている。
そして、本体部２２には、後ろ側に凸状に湾曲して上下方向（軸方向）に貫通する、締め紐を挿通するための挿通孔２３が設けられている。
そして、本体部２２の底外表面２２ｂ（図２参照）は、接合部（接合面）とされ、外側（右側、図１の紙面の表側）に凸状で、内側（左側、図１の紙面の後ろ側）に凹状をした球面状に湾曲し、マスク本体部の右側外側面に沿うように（面接触できるように）形成されている。
なお、挿通孔２３は、外側（右側、図１の紙面の表側）にも貫通（開放）している。
【００２４】
上記した上側係止部２４Ｕは、本体部２２の上端外側から上側へ突出する上側係止板２５Ｕと、この上側係止板２５Ｕに設けられた前側係止溝２６Ｆと、上側係止板２５Ｕに設けられた後ろ側係止溝２６Ｒと、上側係止板２５Ｕの内側面（図１の紙面の裏側）に設けられた１本または複数本のリブ２８（図２および図３（ｄ）参照）と、上側係止板２５Ｕの外側面（図１の紙面の表側）に設けられた１個または複数の係止突起２９とで構成されている。
【００２５】
上記した上側係止部２４Ｕの前側係止溝２６Ｆは、上側係止板２５Ｕの前側端から上側係止板２５Ｕの後ろ側へ向かって設けられた横線部分と、この横線部分がほぼ中央部分に交差する縦線部分とからなる横転したＴ字状のスリットとして形成されている。
また、上側係止部２４Ｕの後ろ側係止溝２６Ｒは、上側係止板２５Ｕの後ろ側端から上側係止板２５Ｕの前側へ向かって設けられた横線部分と、この横線部分がほぼ中央部分に交差する縦線部分とからなる横転したＴ字状のスリットとして形成されている。
【００２６】
そして、上側係止板２５Ｕに設けた前側係止溝２６Ｆの前側端部に、円弧状の前側ガイド部２７Ｆが設けられている。
また、上側係止板２５Ｕに設けた後ろ側係止溝２６Ｒの後ろ側端部に、前側ガイド部２７Ｆの半径よりも大きな半径の円弧状の後ろ側ガイド部２７Ｒが設けられている。
【００２７】
そして、上側係止部２４Ｕのリブ２８は、各係止溝２６Ｆ，２６Ｒの縦線部分の間に位置し、上側係止板２５Ｕの本体部２２から延びる方向へ延びる部分を有するＬ字状とされている。
また、上側係止部２４Ｕの係止突起２９は、各係止溝２６Ｆ，２６Ｒの縦線部分の間に位置し、係止力に抗するように湾曲した形状とされている。
【００２８】
なお、上側係止板２５Ｕの、前側係止溝２６Ｆを形成するＴ字状のスリットの縦線部分と、上側係止板２５Ｕの、後ろ側係止溝２６Ｒを形成するＴ字状のスリットの縦線部分と、上側係止板２５Ｕの、前側係止溝２６Ｆを形成するＴ字状のスリットの縦線部分と後ろ側係止溝２６Ｒを形成するＴ字状のスリットの縦線部分との間に位置するリブ２８の部分と、上側係止板２５Ｕの、係止突起２９の配置（配列）方向とは、平行で、本体部２２の上端から上側係止板２５Ｕが突出している方向に対して、下側から上側へ向かって前側へ傾斜している。
そして、上側係止板２５Ｕの、前側係止溝２６Ｆを形成するＴ字状のスリットの横線部分と、上側係止板２５Ｕの、後ろ側係止溝２６Ｒを形成するＴ字状のスリットの横線部分とは、同一線上に位置して、後ろ側から前側へ向かって下側へ傾斜している。
【００２９】
上記した下側係止部２４Ｄは、本体部２２の下端外側から下側へ突出する下側係止板２５Ｄと、この下側係止板２５Ｄに設けられた前側係止溝２６Ｆと、下側係止板２５Ｄに設けられた後ろ側係止溝２６Ｒと、下側係止板２５Ｄの内側面（図１の紙面の裏側）に設けられた１本または複数本のリブ２８（図２および図３（ｄ）参照）と、下側係止板２５Ｄの外側面（図１の紙面の表側）に設けられた１個または複数の係止突起２９とで構成されている。
【００３０】
上記した下側係止部２４Ｄの前側係止溝２６Ｆは、下側係止板２５Ｄの前側端から下側係止板２５Ｄの後ろ側へ向かって設けられた横線部分と、この横線部分がほぼ中央部分に交差する縦線部分とからなる横転したＴ字状のスリットとして形成されている。
また、下側係止部２４Ｄの後ろ側係止溝２６Ｒは、下側係止板２５Ｄの後ろ側端から下側係止板２５Ｄの前側へ向かって設けられた横線部分と、この横線部分がほぼ中央部分に交差する縦線部分とからなる横転したＴ字状のスリットとして形成されている。
【００３１】
そして、下側係止板２５Ｄに設けた前側係止溝２６Ｆの前側端部に、円弧状の前側ガイド部２７Ｆが設けられている。
また、下側係止板２５Ｄに設けた後ろ側係止溝２６Ｒの後ろ側端部に、前側ガイド部２７Ｆの半径よりも大きな半径の円弧状の後ろ側ガイド部２７Ｒが設けられている。
【００３２】
そして、下側係止部２４Ｄのリブ２８は、各係止溝２６Ｆ，２６Ｒの縦線部分の間に位置し、下側係止板２５Ｄの本体部２２から延びる方向へ延びる部分を有するＬ字状とされている。
また、下側係止部２４Ｄの係止突起２９は、各係止溝２６Ｆ，２６Ｒの縦線部分の間に位置し、係止力に抗するように湾曲した形状とされている。
【００３３】
なお、下側係止板２５Ｄの、前側係止溝２６Ｆを形成するＴ字状のスリットの縦線部分と、下側係止板２５Ｄの、後ろ側係止溝２６Ｒを形成するＴ字状のスリットの縦線部分と、下側係止板２５Ｄの、前側係止溝２６Ｆを形成するＴ字状のスリットの縦線部分と後ろ側係止溝２６Ｒを形成するＴ字状のスリットの縦線部分との間に位置するリブ２８の部分と、下側係止板２５Ｄの、係止突起２９の配置（配列）方向とは、平行で、本体部２２の下端から下側係止板２５Ｄが突出している方向に対して、上側から下側へ向かって前側へ傾斜している。
そして、下側係止板２５Ｄの、前側係止溝２６Ｆを形成するＴ字状のスリットの横線部分と、下側係止板２５Ｄの、後ろ側係止溝２６Ｒを形成するＴ字状のスリットの横線部分とは、同一線上に位置して、後ろ側から前側へ向かって上側へ傾斜している。
【００３４】
マスク本体部の左側端部に取り付けられる締め紐取付具は締め紐取付具２１を上下反転させた形状に、または、締め紐取付具２１と左右対称に形成（構成）されているので、その締め紐取付具の構成を、締め紐取付具２１と同一部分（または相当部分）に締め紐取付具２１の符号にかっこを付して、以下に説明する。
【００３５】
マスク本体部の左側端部に取り付けられる締め紐取付具は、本体部（２２）と、この本体部（２２）の上端（一端）に設けられた上側係止部（第１の係止部）（２４Ｕ）と、本体部（２２）の下端（他端）に設けられた下側係止部（第２の係止部）（２４Ｄ）とを備えている。
この締め紐取付具は、マスク本体部の外側表面に超音波溶着や、接着などによって取り付けることができるように、所定の強度を有するプラスチック（樹脂）、例えば、ポリプロピレンで、本体部（２２）、上側係止部（２４Ｕ）および下側係止部（２４Ｄ）が一体成形されている。
【００３６】
上記した本体部（２２）は、前側に凹状で、後ろ側に凸状をした円弧状の前面および後ろ面を有する湾曲して扁平な四角柱状とされている。
そして、本体部（２２）には、後ろ側に凸状に湾曲して上下方向（軸方向）に貫通する、締め紐を挿通するための挿通孔（２３）が設けられている。
そして、本体部（２２）の底外表面は、接合部（接合面）とされ、外側（左側）に凸状で、内側（右側）に凹状をした球面状に湾曲し、マスク本体部の左側外側面に沿うように（面接触できるように）形成されている。
なお、挿通孔（２３）は、外側（左側）にも貫通（開放）している。
【００３７】
上記した上側係止部（２４Ｕ）は、本体部（２２）の上端外側から上側へ突出する上側係止板（２５Ｕ）と、この上側係止板（２５Ｕ）に設けられた前側係止溝（２６Ｆ）と、上側係止板（２５Ｕ）に設けられた後ろ側係止溝（２６Ｒ）と、上側係止板（２５Ｕ）の内側面に設けられた１本または複数本のリブ（２８）と、上側係止板（２５Ｕ）の外側面に設けられた１個または複数の係止突起（２９）とで構成されている。
【００３８】
上記した上側係止部（２４Ｕ）の前側係止溝（２６Ｆ）は、上側係止板（２５Ｕ）の前側端から上側係止板（２５Ｕ）の後ろ側へ向かって設けられた横線部分と、この横線部分がほぼ中央部分に交差する縦線部分とからなる横転したＴ字状のスリットとして形成されている。
また、上側係止部（２４Ｕ）の後ろ側係止溝（２６Ｒ）は、上側係止板（２５Ｕ）の後ろ側端から上側係止板（２５Ｕ）の前側へ向かって設けられた横線部分と、この横線部分がほぼ中央部分に交差する縦線部分とからなる横転したＴ字状のスリットとして形成されている。
【００３９】
そして、上側係止板（２５Ｕ）に設けた前側係止溝（２６Ｆ）の前側端部に、円弧状の前側ガイド部（２７Ｆ）が設けられている。
また、上側係止板（２５Ｕ）に設けた後ろ側係止溝（２６Ｒ）の後ろ側端部に、前側ガイド部（２７Ｆ）の半径よりも大きな半径の円弧状の後ろ側ガイド部（２７Ｒ）が設けられている。
【００４０】
そして、上側係止部（２４Ｕ）のリブ（２８）は、各係止溝（２６Ｆ，２６Ｒ）の縦線部分の間に位置し、上側係止板（２５Ｕ）の本体部（２２）から延びる方向へ延びる部分を有するＬ字状とされている。
また、上側係止部（２４Ｕ）の係止突起（２９）は、各係止溝（２６Ｆ，２６Ｒ）の縦線部分の間に位置し、係止力に抗するように湾曲した形状とされている。
【００４１】
なお、上側係止板（２５Ｕ）の、前側係止溝（２６Ｆ）を形成するＴ字状のスリットの縦線部分と、上側係止板（２５Ｕ）の、後ろ側係止溝（２６Ｒ）を形成するＴ字状のスリットの縦線部分と、上側係止板（２５Ｕ）の、前側係止溝（２６Ｆ）を形成するＴ字状のスリットの縦線部分と後ろ側係止溝（２６Ｒ）を形成するＴ字状のスリットの縦線部分との間に位置するリブ（２８）の部分と、上側係止板（２５Ｕ）の、係止突起（２９）の配置（配列）方向とは、平行で、本体部（２２）の上端から上側係止板（２５Ｕ）が突出している方向に対して、下側から上側へ向かって前側へ傾斜している。
そして、上側係止板（２５Ｕ）の、前側係止溝（２６Ｆ）を形成するＴ字状のスリットの横線部分と、上側係止板（２５Ｕ）の、後ろ側係止溝（２６Ｒ）を形成するＴ字状のスリットの横線部分とは、同一線上に位置して、後ろ側から前側へ向かって下側へ傾斜している。
【００４２】
上記した下側係止部（２４Ｄ）は、本体部（２２）の下端外側から下側へ突出する下側係止板（２５Ｄ）と、この下側係止板（２５Ｄ）に設けられた前側係止溝（２６Ｆ）と、下側係止板（２５Ｄ）に設けられた後ろ側係止溝（２６Ｒ）と、下側係止板（２５Ｄ）の内側面に設けられた１本または複数本のリブ（２８）と、下側係止板（２５Ｄ）の外側面に設けられた１個または複数の係止突起（２９）とで構成されている。
【００４３】
上記した下側係止部（２４Ｄ）の前側係止溝（２６Ｆ）は、下側係止板（２５Ｄ）の前側端から下側係止板（２５Ｄ）の後ろ側へ向かって設けられた横線部分と、この横線部分がほぼ中央部分に交差する縦線部分とからなる横転したＴ字状のスリットとして形成されている。
また、下側係止部（２４Ｄ）の後ろ側係止溝（２６Ｒ）は、下側係止板（２５Ｄ）の後ろ側端から下側係止板（２５Ｄ）の前側へ向かって設けられた横線部分と、この横線部分がほぼ中央部分に交差する縦線部分とからなる横転したＴ字状のスリットとして形成されている。
【００４４】
そして、下側係止板（２５Ｄ）に設けた前側係止溝（２６Ｆ）の前側端部に、円弧状の前側ガイド部（２７Ｆ）が設けられている。
また、下側係止板（２５Ｄ）に設けた後ろ側係止溝（２６Ｒ）の後ろ側端部に、前側ガイド部（２７Ｆ）の半径よりも大きな半径の円弧状の後ろ側ガイド部２７Ｒが設けられている。
【００４５】
そして、下側係止部（２４Ｄ）のリブ（２８）は、各係止溝（２６Ｆ，２６Ｒ）の縦線部分の間に位置し、下側係止板（２５Ｄ）の本体部（２２）から延びる方向へ延びる部分を有するＬ字状とされている。
また、下側係止部（２４Ｄ）の係止突起（２９）は、各係止溝（２６Ｆ，２６Ｒ）の縦線部分の間に位置し、係止力に抗するように湾曲した形状とされている。
【００４６】
なお、下側係止板（２５Ｄ）の、前側係止溝（２６Ｆ）を形成するＴ字状のスリットの縦線部分と、下側係止板（２５Ｄ）の、後ろ側係止溝（２６Ｒ）を形成するＴ字状のスリットの縦線部分と、下側係止板（２５Ｄ）の、前側係止溝（２６Ｆ）を形成するＴ字状のスリットの縦線部分と後ろ側係止溝（２６Ｒ）を形成するＴ字状のスリットの縦線部分との間に位置するリブ（２８）の部分と、下側係止板（２５Ｄ）の、係止突起（２９）の配置（配列）方向とは、平行で、本体部（２２）の下端から下側係止板２５Ｄが突出している方向に対して、上側から下側へ向かって前側へ傾斜している。
そして、下側係止板（２５Ｄ）の、前側係止溝（２６Ｆ）を形成するＴ字状のスリットの横線部分と、下側係止板（２５Ｄ）の、後ろ側係止溝（２６Ｒ）を形成するＴ字状のスリットの横線部分とは、同一線上に位置して、後ろ側から前側へ向かって上側へ傾斜している。
【００４７】
上記した締め紐取付具を利用（使用）したこの発明のマスクの実施例を、図面を参照して説明する。
【００４８】
図５はこの発明のマスクの一実施例を示す図、図６は図５に示したマスクの使用例を示す説明図であり、図１〜図４と同一または相当部分に同一符号を付し、その説明を省略する。
【００４９】
図５および図６に示すマスク１は、カップ状に形成されたマスク本体部１１と、このマスク本体部１１の左、右側端部に取り付けられた左、右側締め紐取付具２１Ｌ，２１Ｒと、この左、右側締め紐取付具２１Ｌ，２１Ｒに取り付けられた１本の締め紐３１と、この締め紐３１の有効長さを調整する長さ調整具４１とで構成されている。
【００５０】
上記したマスク本体部１１は、例えば、人の鼻、口を覆うようにプラスチック（樹脂）で成形された枠体と、この枠体に取り付けられたフィルタ部とで構成されている。
このフィルタ部は、枠体の前面側を被う前面被い部分と、この前面被い部分の外周に設けられ、人の鼻、口の外周に当接するとともに、枠体を保持する接顔布とで構成されている。
そして、前面被い部分は、例えば、多層構造とされ、左、右側締め紐取付具２１Ｌ，２１Ｒが溶着または接着できるように構成されている。
【００５１】
上記した右側締め紐取付具２１Ｒは、先に説明した締め紐取付具２１と同じ構成で、マスク本体部１１の右側端部に取り付けられている。
また、左側締め紐取付具２１Ｌは、先に説明した締め紐取付具２１を上下反転させた形状に、または、締め紐取付具２１と左右対称に形成された締め紐取付具と同じ構成で、マスク本体部１１の左側端部に取り付けられている。
【００５２】
上記した締め紐３１は、弾性を有するゴムバンドなどで構成され、所定の長さと、所定の厚さと、所定の幅とを有している。
そして、左側締め紐取付具２１Ｌの挿通孔２３へ上側から下側へ締め紐３１の一端側を貫通するように挿通するとともに、右側締め紐取付具２１Ｒの挿通孔２３へ上側から下側へ締め紐３１の他端側を貫通するように挿通し、揃えた締め紐３１の端部には、環状部分の長さを調整することのできる長さ調整具４１が取り付けられている。
したがって、長さ調整具４１を操作して締め紐３１に対して移動させることにより、締め紐３１の環状部分の長さ（締め紐３１の有効長さ）が調整できる。
【００５３】
なお、図５では長さ調整具４１をマスク１の下側に配置している（取り付けている）が、長さ調整具４１をマスク１の上側に配置してもよい。
このように、長さ調整具４１をマスク１の上側に配置する場合、締め紐３１の一端側を左側締め紐取付具２１Ｌの挿通孔２３へ下側から上側へ締め紐３１の一端側を貫通するように挿通するとともに、締め紐３１の他端側を右側締め紐取付具２１Ｒの挿通孔２３へ下側から上側へ貫通するように挿通し、揃えた締め紐３１の端部に長さ調整具４１を取り付ける。
【００５４】
次に、マスク１の装着の一例について説明する。
【００５５】
まず、長さ調整具４１を操作して、締め紐３１の環状部分の長さ（締め紐３１の有効長さ）を適当な長さに調整する。
【００５６】
そして、マスク本体部１１の下側に位置する締め紐３１の部分に頭部を挿入し、マスク本体部１１を、鼻および口を被うように装着した後、マスク本体部１１の下側に位置する締め紐３１の部分を頭部の後方下部に沿わせる。
【００５７】
そして、マスク本体部１１の上側に位置する締め紐３１の部分を引き上げて頭部の後方上部に沿わせることにより、図６に示すように、マスク１を、１本紐オーバーヘッドタイプとして装着する。
【００５８】
このようにしてマスク１を装着した状態で、締め紐３１の締め付け力が強かったり、弱い場合は、長さ調整具４１を操作して締め紐３１に対して移動させ、締め紐３１の環状部分の長さを所望の長さに調整することにより、所望の締め付け力に設定する。
【００５９】
図７はこの発明のマスクの他の実施例を示す図、図８は図７に示したマスクの使用例を示す説明図、図９は図８の右側締め紐取付具の部分を拡大した部分拡大図、図１０は上側係止部における係止突起部分の説明図であり、図１〜図６と同一または相当部分に同一符号を付し、その説明を省略する。
【００６０】
図７および図８に示すマスク１Ａは、カップ状に形成されたマスク本体部１１と、このマスク本体部１１の左、右側端部に取り付けられた左、右側締め紐取付具２１Ｌ，２１Ｒと、この左、右側締め紐取付具２１Ｌ，２１Ｒに取り付けられた２本の締め紐、すなわち、左側締め紐３１Ｌおよび右側締め紐３１Ｒと、右側締め紐３１Ｒに取り付けたフック４２とで構成されている。
なお、フック４２は、左側締め紐３１Ｌに取り付けてもよい。
【００６１】
上記した左側締め紐３１Ｌは、一端（上端）が左側締め紐取付具２１Ｌの上側係止部２４Ｕに係止され、他端（下端）が左側締め紐取付具２１Ｌの下側係止部２４Ｄに係止されている。
また、右側締め紐３１Ｒは、一端（上端）が右側締め紐取付具２１Ｒの上側係止部２４Ｕに係止され、他端（下端）が右側締め紐取付具２１Ｒの下側係止部２４Ｄに係止されている。
【００６２】
次に、左、右側締め紐３１Ｌ，３１Ｒの上側端部の上、下側係止部２４Ｕ，２４Ｄへの係止の一例について説明する。
【００６３】
まず、左、右側締め紐３１Ｌ，３１Ｒの上側端部を上側係止部２４Ｕの内側へ後ろ側から挿入し、左、右側締め紐３１Ｌ，３１Ｒの第１の端部近傍部位３２を前側ガイド部２７Ｆ，２７Ｆの間から前側係止溝２６Ｆの横線部分へ挿入し、図９および図１０に示すように、前側係止溝２６Ｆの縦線部分に沿わせ、左、右側締め紐３１Ｌ，３１Ｒの端部を上側係止部２４Ｕの外側へ導出する。
【００６４】
そして、左、右側締め紐３１Ｌ，３１Ｒの第１の端部近傍部位３２よりも端部側の第２の端部近傍部位３３を、後ろ側ガイド部２７Ｒ，２７Ｒの間から後ろ側係止溝２６Ｒの横線部分へ挿入し、図９および図１０に示すように、後ろ側係止溝２６Ｆの縦線部分に沿わせ、左、右側締め紐３１Ｌ，３１Ｒの端部を上側係止部２４Ｕの内側へ導出した後、上側係止部２４Ｕの後ろ側へ導出する。
【００６５】
このように、第１の端部近傍部位３２を前側係止溝２６Ｆの縦線部分に係合させるとともに、第２の端部近傍部位３３を後ろ側係止溝２６Ｒの縦線部分に係合させると、第１の端部近傍部位３２と第２の端部近傍部位３３との間の第３の端部近傍部位３４が、係止突起２９と対向する。
【００６６】
この状態で、左、右側締め紐３１Ｌ，３１Ｒを後ろ側へ引っ張ると、第１の端部近傍部位３２よりも端部から離れた第４の端部近傍部位３５がリブ２８上を滑って移動することにより、第３の端部近傍部位３４が係止突起２９に係合するとともに、第１の端部近傍部位３２が前側係止溝２６Ｆに係合することにより、左、右側締め紐３１Ｌ，３１Ｒの端部が上側係止部２４Ｕに係止する。
【００６７】
そして、左、右側締め紐３１Ｌ，３１Ｒの上側端部を上側係止部２４Ｕから取り外す場合は、上述した手順を反対に行うことにより、左、右側締め紐３１Ｌ，３１Ｒの上側端部を上側係止部２４Ｕから取り外せる。
【００６８】
なお、左、右側締め紐３１Ｌ，３１Ｒの下側端部の下側係止部２４Ｄへの取り付け、左、右側締め紐３１Ｌ，３１Ｒの下側端部の下側係止部２４Ｄからの取り外しは、左、右側締め紐３１Ｌ，３１Ｒの上側端部の上側係止部２４Ｕへの取り付け、左、右側締め紐３１Ｌ，３１Ｒの上側端部の上側係止部２４Ｕからの取り外しと同様に行うことにより、左、右側締め紐３１Ｌ，３１Ｒの下側端部を下側係止部２４Ｄへ取り付けたり、左、右側締め紐３１Ｌ，３１Ｒの下側端部を下側係止部２４Ｄから取り外せる。
【００６９】
そして、マスク１Ａは、左、右側締め紐３１Ｌ，３１Ｒの両第１の端部近傍部位３２を左右締め紐取付具２１Ｌ，２１Ｒの上、下側係止部２４Ｕ，２４Ｄを構成する前側係止溝２６Ｆの縦線部分に係合させた後、左、右側締め紐３１Ｌ，３１Ｒの端部を上、下側係止部２４Ｕ，２４Ｄの外側へ導出させた状態にしておくと、装着（時）に便利である。
【００７０】
次に、マスク１Ａの装着の一例について説明する。
【００７１】
まず、マスク本体部１１を、鼻および口を被うように装着した後、左、右側締め紐３１Ｌ，３１Ｒを耳の上下を経由するように沿わせ、フック４２を左側締め紐３１Ｌに引っ掛けることにより、図８に示すように、マスク１Ａを、サイドフックタイプとして装着する。
【００７２】
このようにしてマスク１Ａを装着した状態で、左、右側締め紐３１Ｌ，３１Ｒの締め付け力を調整し、左、右側締め紐３１Ｌ，３１Ｒの端部を上、下側係止部２４Ｕ，２４Ｄに係止させればよい。
【００７３】
上記した左、右側締め紐３１Ｌ，３１Ｒの締め付け力の調整の一例として、左、右側締め紐３１Ｌ，３１Ｒの締め付け力が弱い場合の操作について説明すると、左、右側締め紐３１Ｌ，３１Ｒの端部を引っ張って締め付け力を調整した後、前述したように、左、右側締め紐３１Ｌ，３１Ｒの端部を上、下側係止部２４Ｕ，２４Ｄに係止させればよい。
【００７４】
図１１はこの発明のマスクのさらに他の実施例を示す図、図１２は図１１に示したマスクの使用例を示す説明図であり、図１〜図１０と同一または相当部分に同一符号を付し、その説明を省略する。
【００７５】
図１１および図１２に示すマスク１Ｂは、カップ状に形成されたマスク本体部１１と、このマスク本体部１１の左、右側端部に取り付けられた左、右側締め紐取付具２１Ｌ，２１Ｒと、この左、右側締め紐取付具２１Ｌ，２１Ｒに取り付けられた２本の締め紐、すなわち、上側締め紐３１Ｕおよび下側締め紐３１Ｄとで構成されている。
【００７６】
上記した上側締め紐３１Ｕは、一端（左端）が左側締め紐取付具２１Ｌの上側係止部２４Ｕに係止され、他端（右端）が右側締め紐取付具２１Ｒの上側係止部２４Ｕに係止されている。
また、下側締め紐３１Ｄは、一端（左端）が左側締め紐取付具２１Ｌの下側係止部２４Ｄに係止され、他端（右端）が右側締め紐取付具２１Ｒの下側係止部２４Ｄに係止されている。
【００７７】
上記した上、下側締め紐３１Ｕ，３１Ｄの左右端部の上、下側係止部２４Ｕ，２４Ｄへの取付方法、上、下側締め紐３１Ｕ，３１Ｄの左右端部を上、下側係止部２４Ｕ，２４Ｄから取り外す方法は、マスク１Ａの実施例と同じになるので、説明を省略する。
【００７８】
次に、マスク１Ｂの装着の一例について説明する。
【００７９】
まず、マスク本体部１１の下側に位置する下側締め紐３１Ｄに頭部を挿入し、マスク本体部１１を、鼻および口を被うように装着した後、下側締め紐３１Ｄを頭部の後方下部に沿わせる。
【００８０】
そして、マスク本体部１１の上側に位置する上側締め紐３１Ｕを頭部の後方上部に沿わせることにより、図１２に示すように、マスク１Ｂを、２本紐オーバーヘッドタイプとして装着できる。
【００８１】
このようにしてマスク１Ｂを装着した状態で、前述したように、上、下側締め紐３１Ｕ，３１Ｄの締め付け力を調整した後、上、下側締め紐３１Ｕ，３１Ｄの端部を上、下側係止部２４Ｕ，２４Ｄに係止させればよい。
【００８２】
上述したように、この発明によれば、左、右側締め紐取付具２１Ｌ，２１Ｒに挿通孔２３、上側係止部２４Ｕおよび下側係止部２４Ｄが設けられているので、左、右側締め紐取付具２１Ｌ，２１Ｒの取付位置を変更せずに１本紐オーバーヘッドタイプ、２本紐オーバーヘッドタイプ、サイドフックタイプのマスクとして使用できる。
そして、１本紐オーバーヘッドタイプのマスク１とした場合、または、２本紐オーバーヘッドタイプのマスク１Ｂとした場合、マスク１，１Ｂを首などに吊り下げて携帯できる。
また、上側係止部２４Ｕ（前、後ろ側係止溝２６Ｆ，２６Ｒ）が後ろ上方を向き、下側係止部２４Ｄ（前、後ろ側係止溝２６Ｆ，２６Ｒ）が後ろ下方を向いているので、各締め紐３１，３１Ｌ，３１Ｒ，３１Ｕ，３１Ｄを上下に拡開させることにより、各締め紐３１，３１Ｌ，３１Ｒ，３１Ｕ，３１Ｄが耳を挟まない状態として、マスク１，１Ａ，１Ｂを安定した状態で装着し続けられる。
【００８３】
また、前側ガイド部２７Ｆの半径よりも後ろ側ガイド部２７Ｒの半径の方が大きいので、各締め紐３１Ｌ，３１Ｒ，３１Ｕ，３１Ｄを上、下側係止部２４Ｕ，２４Ｄに係止させる場合、最後に係止させる各締め紐３１Ｌ，３１Ｒ，３１Ｕ，３１Ｄの端部近傍部（第２の端部近傍部位３３）の係止が容易に行える。
また、上、下側係止板２５Ｕ，２５Ｄにリブ２８を設けたので、上、下側係止板２５Ｕ，２５Ｄをリブ２８によって補強できるとともに、各締め紐３１Ｌ，３１Ｒ，３１Ｕ，３１Ｄの移動時の接触抵抗が少なくなる。
また、上、下側係止板２５Ｕ，２５Ｄに係止突起２９を設けたので、各締め紐３１Ｌ，３１Ｒ，３１Ｕ，３１Ｄを確実に係止できる。
【００８４】
上記した実施例において、本体部２２を湾曲させた例を示したが、本体部は上下方向に真っ直ぐであってもよい。
また、締め紐の各種の係止パターンを示したが、締め紐を２本とし、第１の締め紐の一端（左端）を左側締め紐取付具の上側係止部に係止させるとともに、第１の締め紐の他端（右端）を右側締め紐取付具の下側係止部に係止させ、第２の締め紐の一端（左端）を左側締め紐取付具の下側係止部に係止させ、第２の締め紐の他端（右端）を右側締め紐取付具の上側係止部に係止させたマスクとしてもよい。
【符号の説明】
【００８５】
１      マスク
１Ａ    マスク
１Ｂ    マスク
１１    マスク本体部
２１    締め紐取付具
２１Ｌ  左側締め紐取付具
２１Ｒ  右側締め紐取付具
２２    本体部
２２ｂ  底外表面（接合部、接合面）
２３    挿通孔
２４Ｕ  上側係止部（第１の係止部）
２４Ｄ  下側係止部（第２の係止部）
２５Ｕ  上側係止板
２５Ｄ  下側係止板
２６Ｆ  前側係止溝
２６Ｒ  後ろ側係止溝
２７Ｆ  前側ガイド部
２７Ｒ  後ろ側ガイド部
２８    リブ
２９    係止突起
３１    締め紐
３１Ｌ  左側締め紐
３１Ｒ  右側締め紐
３１Ｕ  上側締め紐
３１Ｄ  下側締め紐
３２    第１の端部近傍部位
３３    第２の端部近傍部位
３４    第３の端部近傍部位
３５    第４の端部近傍部位
４１    長さ調整具
４２    フック
【図１】
0005524699.tif 000002
【図２】
0005524699.tif 000003
【図３】
0005524699.tif 000004
【図４】
0005524699.tif 000005
【図５】
0005524699.tif 000006
【図６】
0005524699.tif 000007
【図７】
0005524699.tif 000008
【図８】
0005524699.tif 000009
【図９】
0005524699.tif 000010
【図１０】
0005524699.tif 000011
【図１１】
0005524699.tif 000012
【図１２】
0005524699.tif 000013
【図１３】
0005524699.tif 000014
【図１４】
0005524699.tif 000015
【図１５】
0005524699.tif 000016
【図１６】
0005524699.tif 000017